(57)【要約】【課題】金槌やバット等で乱打した場合、鋭利な刃物等で切り裂こうとした場合、スパナやバールのような道具でこじ開けようとした場合等においても、容易に短時間では破壊することがない宝飾品ショーケースカバーを提供する。【解決手段】下面が開放された箱型宝飾品ショーケースのカバーであって、該カバーは、該ショーケースの天板部を被覆する薄鋼板部と、該薄鋼板部の４辺の全長にわたって設けられた蝶番と、該蝶番を介して折りたたみ自在に接続された側部薄鋼板部と、該カバーと前記ショーケースの結合手段とを有し、該結合手段は、前記側部薄鋼板部の蝶番接続部と対向する辺の隅部にそれぞれ設けられた孔部と、前記ショーケースに前記カバーを設置した状態で、前記鋼板部の隅部に位置する一対の孔部にチェーンの一端を通し、前記ショーケースに巻き回すか、またはその一部と連結した後、該チェーン同士を重ね合わせて施錠するチェーン施錠手段とを有することを特徴とする宝飾品ショーケースカバー。【選択図】  図１
2004160013.tif 000002
【特許請求の範囲】
【請求項１】
下面が開放された箱型宝飾品ショーケースのカバーであって、該カバーは、該ショーケースの天板部を被覆する薄鋼板部と、該薄鋼板部の４辺の全長にわたって設けられた蝶番と、該蝶番を介して折りたたみ自在に接続された側部薄鋼板部と、該カバーと前記ショーケースの結合手段とを有し、該結合手段は、前記側部薄鋼板部の蝶番接続部と対向する辺の隅部にそれぞれ設けられた孔部と、前記ショーケースに前記カバーを設置した状態で、前記鋼板部の隅部に位置する一対の孔部にチェーンの一端を通し、前記ショーケースに巻き回すか、またはその一部と連結した後、該チェーン同士を結合して施錠するチェーン施錠手段とを有することを特徴とする宝飾品ショーケースカバー。
【請求項２】
前記ショーケースの平面断面が長方形であり、該ショーケースを被覆するカバーの薄鋼板部が、長手方向と直角方向に少なくとも２箇所で分割され、該分割された薄鋼板部には前記直角方向の辺部の全長にわたり密接した重複部分を有し、該重複部分には前記蝶番が設けられておらず、前記分割された薄鋼板部の側板部の各隅部には、前記チェーンが通る孔部が設けられていることを特徴とする請求項１記載の宝飾品ショーケースカバー。
【発明の詳細な説明】
【０００１】
【発明の属する技術分野】
本発明は、宝飾品ショーケースカバーに関し、特にショーケース内の宝飾品の強奪を目的として侵入してきた盗賊からショーケースを可及的に保護し、中の宝飾品の強奪を防止するためのカバーに関する。
【０００２】
【従来の技術】
従来、この種のショーケースカバーとしては、頑丈な鋼鉄製の箱型カバーや、ケプラー（登録商標）等のような高強力繊維からなるソフトカバーが知られている。前者の鋼鉄製ハードカバーは、重量が重く、カバーの設置や取り外しが厄介であり、特に非力な店員には取り扱うことができなかった。また後者の高強力繊維からなるカバーは、軽量で取り扱いが容易であるものの、賊が侵入して、カバーを破損しようとするとき、鋭利な刃物等で比較的短時間に切り裂くことができるので、防護の確実性に問題がある。
【０００３】
【発明が解決しようとする課題】
本発明の課題は、上記従来のショーケースカバーの欠点を除き、金槌やバット等で乱打した場合、鋭利な刃物等で切り裂こうとした場合、スパナやバールのような道具でこじ開けようとした場合等においても、容易に短時間では破壊することがない宝飾品ショーケースカバーを提供することにある。
【０００４】
【課題を解決するための手段】
上記課題を達成するため、本願で特許請求される発明は以下のとおりである。
（１）下面が開放された箱型宝飾品ショーケースのカバーであって、該カバーは、該ショーケースの天板部を被覆する薄鋼板部と、該薄鋼板部の４辺の全長にわたって設けられた蝶番と、該蝶番を介して折りたたみ自在に接続された側部薄鋼板部と、該カバーと前記ショーケースの結合手段とを有し、該結合手段は、前記側部薄鋼板部の蝶番接続部と対向する辺の隅部にそれぞれ設けられた孔部と、前記ショーケースに前記カバーを設置した状態で、前記鋼板部の隅部に位置する一対の孔部にチェーンの一端を通し、前記ショーケースに巻き回すか、またはその一部と連結した後、該チェーン同士を結合して施錠するチェーン施錠手段とを有することを特徴とする宝飾品ショーケースカバー。
【０００５】
（２）前記ショーケースの平面断面が長方形であり、該ショーケースを被覆するカバーの薄鋼板部が、長手方向と直角方向に少なくとも２箇所で分割され、該分割された薄鋼板部には前記直角方向の辺部の全長にわたり密接した重複部分を有し、該重複部分には前記蝶番が設けられておらず、前記分割された薄鋼板部の側板部の各隅部には、前記チェーンが通る孔部が設けられていることを特徴とする（１）記載の宝飾品ショーケースカバー。
【０００６】
【発明の実施の形態】
以下、本発明を図面に示す実施例により説明する。
図１は、本発明の一実施例を示す正方形型の宝飾品ショーケースカバーの展開図である。図２は、図１のカバーを宝飾品のショーケースに設置した場合の正面図、図３は、該カバーにチェーンを取り付ける際の説明図、図４は、同じくチェーンを取り付けて施錠した状態を示す説明図である。
【０００７】
図１において、宝飾品ショーケースカバー１は、該ショーケース１の天板部を被覆する薄鋼板部２と、該薄鋼板部２の四辺の全長にわたって設けられた蝶番３と、該蝶番３を介して折りたたみ自在に接続された側部薄鋼板部４と、該カバー１と前記ショーケース５の結合手段とからなる。この結合手段は、前記側部薄鋼板部４の蝶番接続部と対抗する辺の隅部にそれぞれ設けられた孔部６と、該孔部６にチェーンを通してショーケースと結合させた後、チェーン同士を結合して施錠するチェーン施錠手段とからなる。チェーン施錠手段は、図２に示すようにショー、ケース５に前記カバー１を設置した状態で、前記鋼板部の隅部の一対の孔部６にチェーン７の一端を通し、前記ショーケース５の一部、この場合はショーケースの脚部と連結した後、チェーン同士を結合して南京錠８で施錠する手段が用いられている。図３は、側部薄鋼板部の隅部に位置する一対の孔部６にチェーンの一端を通した状態を示し、図４は、このチェーンの一部を重複させて南京錠８で施錠した状態を示している。
【０００８】
上記ショーケースカバーの薄鋼板の材質は０．４〜１ｍｍ厚、好ましくは０．４〜０．６ｍｍ厚のステンレス製鋼板、例えばオーステナイト系（１８Ｃｒ−８Ｎｉ系）薄板鋼板が好ましく、特に約０．５ｍｍ厚さが好ましい。これらの鋼板の側端部は、補強のために折り曲げた部分を溶接してヘムを形成することが望ましい。また蝶番３は、長手の蝶番で鋼板には接着（溶接）により固着される。この蝶番は、カバーの端部に沿って隙間なく設置され、手の指やバール等のものが侵入することを防止する。またこの蝶番は両方向に屈曲自在になっており、収納時には折りたたみ、ケース内にコンパクトに収納できるようになっている。チェーン７は、例えば径４．５ｍｍ程度の鉄製チェーンが用いられるが、必要により、焼き入れ等に強化したものを用いることができる。このチェーン７は、各ケースの４隅でケースの脚部１１に連結され、該チェーン同士の結合部分に南京錠８を掛けて施錠することにより、ケースカバーを結合することができる。
【０００９】
宝飾品のショーケースにこのようなカバーを設けた場合、例えば侵入してきた賊はガラスでできたショーケースを想定して侵入してくるので、ステンレス鋼で囲まれたカバーを見るとたちまち戦意を喪失し、撤退を余儀なくされるか、または宝飾品の強奪を強行しようとした者も、準備している道具ではショーケースを破損するまでにかなりの時間を要することになり、警備会社や警察等に知られる可能性が大となる。また本発明のカバーは、０．５ｍｍ程度の厚さの鋼板からなり、隙間なく構成されているので、金槌やバット等で乱打した場合でも、鋼板はゆがむだけで切断されることなく、振動によって中のガラスが破損しても、カバーによる妨害を乗り越えて宝飾品を取り出すまでにはかなりの時間を要する。さらに鋼板の接続部の蝶番もロングタイプを使用し、圧着（溶接）により隙間なく設置されているので、バールなどを用いてこじ開けようとしても、中のガラスが割れて力が入らず、梃子の原理によって開けることも困難である。またもちろん素手でこじ開けることは不可能であり、さらに手斧などで同じ個所に何回でも衝撃を加えた場合、鋼板が切り裂けることがあるが、この場合もかなりの時間を要し、音も出るので、賊にとっては高リスクとなり、警備会社等が到達する確率が高くなる。さらにケース本体と接続しているチェーンや南京錠を切断しようとすれば、大型のニッパなどが必要になるが、通常、チェーン等が複数箇所（この場合は４箇所）設けられているので、これらのすべてを切断してカバーを開けるのはかなりの時間を要することになる。一般に警備会社が到達するまでの相応の時間を、確実に宝飾品を賊の手から守ることができる。
【００１０】
本発明のショーケースカバーは、主に薄手の鋼板からなり、折り畳み自在に構成されているので、女子の店員でも容易に扱うことができ、場所をとらず、ケースに収納して保管することができる。
【００１１】
図５は、平面断面が長方形の宝飾品ショーケースの一実施例を示す展開図、図６は、図５のカバーを長方形箱型のショーケースにカバーを設置した状態を示す説明図である。このカバーの薄鋼板部は、図５に示すように長手方向と直角方向に２箇所で分割され、この分割された薄鋼板部は、組み立てられたとき前記直角方向の辺部の全長にわたって密接する重複部分１０を有し、該重複部分１０には蝶番３は設けられておらず、また前記分割された薄鋼板の側板部４の各隅部には、前記チェーン７が通る孔部６が設けられたものである。
【００１２】
上記の構成のカバーを組み立てるには、図５において図面上左右両端の分割部分を、重複部分１０を介してそれぞれ重ね合わせ、図６に示すように、ショーケースの上に設置した状態で側板部４を垂下させ、孔部６にチェーン７を通し、ショーケースの脚部１１に巻きつけて図２の場合と同様にチェーン７を施錠する。中央部の２箇所の重複部分１０では、孔部６にチェーンを通し、これをショーケース全体に巻き回してチェーンを重複させ、施錠する。
【００１３】
図５および６に示したショーケースカバーによれば、長方形のショーケースにおいても分割構造としたカバーを用いることにより、図１および２の場合と同様に賊からショーケース内の宝飾品を守り、その盗難を防止することができる。また分割部分と重複部分１０は、手やバールなどが間に入らないように密接し、ある程度の距離、例えば５〜１０ｃｍの長さがあるので、この部分から鋼板の間に隙間を生じさせることは困難である。またこの実施例においては、分割部分を増加することにより、細長い大型のショーケースも同様にして保護することができる。さらに分割構造になっており、かつその分割部分はそれぞれ蝶番部分で折り曲げて重ね合わせ、適当なケースに収納することができるので、取り扱いおよび保管に便利である。さらに分割部分を順次組み立てて、カバーを構成することができるので、非力な店員でもカバーの設置および取り外しが可能である。
【００１４】
【発明の効果】
請求項１および２記載の発明によれば、軽量かつ取り扱いが容易で、賊が侵入してきた時でもショーケース内の宝飾品の盗難を可及的に防止するショーケースカバーを提供することができる。
【図面の簡単な説明】
【図１】本発明の一実施例を示す正方形型の宝飾品ショーケースカバーの展開図。
【図２】図１のカバーを宝飾品のショーケースに設置した場合の正面図。
【図３】図１のカバーにチェーンを取り付ける際の説明図。
【図４】図１のカバーにチェーンを取り付けて施錠した状態を示す説明図。
【図５】本発明の他の実施例を示す宝飾品ショーケースカバーの展開図。
【図６】ショーケース図５のカバーを設置した状態を示す説明図。
【符号の説明】
１…宝飾品ショーケースカバー、２…薄鋼板部、３…蝶番、４…側部薄鋼板部、５…宝飾品ショーケース、６…孔部、７…チェーン、８…南京錠、１０…重複部分、１１…ショーケースの脚部。
【図１】
2004160013.tif 000003
【図２】
2004160013.tif 000004
【図３】
2004160013.tif 000005
【図４】
2004160013.tif 000006
【図５】
2004160013.tif 000007
【図６】
2004160013.tif 000008